(57)【要約】【課題】  プラテンに配設されるインク吸収材を、作業性容易に、且つ確実に保持する方法を提供する。【解決手段】  プラテンユニット３９は、インクジェット記録ヘッドと対向して設けられるプラテン２８と、凹部２９ａに配設されるインク吸収材３６と、インクガイド４２と、ワイヤ４１とを備えて構成される。プラテン２８には、第１面２８Ａの側から、その反対側の第２面２８Ｂの側へと貫通する一対の孔２８ｆ、２８ｇが形成されている。ワイヤ４１は、凹部２８ａを跨ぐとともに孔２８ｆ、２８ｇを挿通可能なように略コの字形の形状を成し、更にその両端部に第２面２８Ｂに掛止可能な掛止部４１ｃ、４１を有している。ワイヤ４１が、第１面２８Ａの側から孔２８ｆ、２８ｇに挿通するとともに掛止部４１ｃ、４１ｃが第２面２８Ｂに掛止することでインク吸収材３６が凹部２８ａに保持される。【選択図】図５
2006247930.tif 000002
【特許請求の範囲】
【請求項１】
被記録媒体に向けてインクを吐出するインクジェット記録ヘッドと、
前記インクジェット記録ヘッドと対向して設けられ、前記インクジェット記録ヘッドと対向する面に前記インクジェット記録ヘッドの主走査方向に延びる凹部が形成されたプラテンと、
前記凹部に配設され、被記録媒体の端部から外れて打ち捨てられるインクを吸収するインク吸収材と、を備えたインクジェット式記録装置において、前記インク吸収材を前記凹部に保持するインク吸収材の保持方法であって、
前記プラテンには、前記凹部が形成された第１面の側から、その反対側の第２面の側へと貫通する孔が、対を成すように前記凹部の副走査方向上流側と下流側とにそれぞれ形成されていて、
前記インク吸収材を前記凹部に配設し、
前記凹部の長手方向と交差する方向に前記凹部を跨ぐとともに前記一対の孔を挿通可能なように略コの字形の形状を成し、更にその両端部に前記第２面に掛止可能な掛止部が形成されたワイヤを前記第１面の側から前記一対の孔に挿通させ、前記掛止部を前記第２面に掛止させることで、前記インク吸収材を前記ワイヤによって前記凹部に保持する、
ことを特徴とするインク吸収材の保持方法。
【請求項２】
被記録媒体に向けてインクを吐出するインクジェット記録ヘッドと対向して設けられ、前記インクジェット記録ヘッドと対向する面に前記インクジェット記録ヘッドの主走査方向に延びる凹部が形成されたプラテンと、
前記凹部に配設され、被記録媒体の端部から外れて打ち捨てられるインクを吸収するインク吸収材と、を備えて構成されたプラテンユニットであって、
前記プラテンには、前記凹部が形成された第１面の側から、その反対側の第２面の側へと貫通する孔が、対を成すように前記凹部の副走査方向上流側と下流側とにそれぞれ形成され、
前記凹部の長手方向と交差する方向に前記凹部を跨ぐとともに前記一対の孔を挿通可能なように略コの字形の形状を成し、更にその両端部に前記第２面に掛止可能な掛止部が形成されたワイヤが、前記第１面の側から前記一対の孔に挿通するとともに前記掛止部が前記第２面に掛止したことで前記インク吸収材が前記ワイヤによって前記凹部に保持されている、
ことを特徴とするプラテンユニット。
【請求項３】
請求項２において、前記一対の孔が、主走査方向に局在するように複数組形成されている、
ことを特徴とするプラテンユニット。
【請求項４】
被記録媒体に向けてインクを吐出するインクジェット記録ヘッドを備えたインクジェット式記録装置であって、請求項２または３記載の前記プラテンユニットを備えている、
ことを特徴とするインクジェット式記録装置。
【請求項５】
被噴射媒体に向けて液体を吐出する液体噴射ヘッドと対向して設けられ、前記液体噴射ヘッドと対向する面に前記液体噴射ヘッドの主走査方向に延びる凹部が形成されたプラテンと、
前記凹部に配設され、被噴射媒体の端部から外れて打ち捨てられる液体を吸収する液体吸収材と、を備えて構成された液体噴射装置であって、
前記プラテンには、前記凹部が形成された第１面の側から、その反対側の第２面の側へと貫通する孔が、対を成すように前記凹部の副走査方向上流側と下流側とにそれぞれ形成され、
前記凹部の長手方向と交差する方向に前記凹部を跨ぐとともに前記一対の孔を挿通可能なように略コの字形の形状を成し、更にその両端部に前記第２面に掛止可能な掛止部が形成されたワイヤが、前記第１面の側から前記一対の孔に挿通するとともに前記掛止部が前記第２面に掛止したことで前記液体吸収材が前記ワイヤによって前記凹部に保持されている、
ことを特徴とする液体噴射装置。
【発明の詳細な説明】
【技術分野】
【０００１】
本発明は、インクジェット式記録装置において、プラテンに形成された凹部に配設されるインク吸収材を前記凹部に保持するインク吸収材の保持方法に関する。また、本発明は、前記プラテン及び前記インク吸収材を備えて構成されたプラテンユニットと、これを備えたインクジェット式記録装置に関する。更に、本発明は液体噴射装置に関する。
【０００２】
ここで、液体噴射装置とは、インクジェット式記録ヘッドが用いられ、該記録ヘッドからインクを吐出して被噴射媒体に記録を行うプリンタ、複写機およびファクシミリ等の記録装置に限らず、インクに代えてその用途に対応する液体を前記インクジェット式記録ヘッドに相当する液体噴射ヘッドから被噴射媒体に相当する被噴射媒体に噴射して、前記液体を前記被噴射媒体に付着させる装置を含む意味で用いる。  
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００３】
以下、インクジェット式記録装置或いは液体噴射装置の一例としてのインクジェットプリンタを例に説明する。近年、ホームＤＰＥと称されるが如く、銀塩写真並の超高画質印刷を家庭で容易に実現可能なインクジェットプリンタが一般に広く普及しており、そしてこの様なインクジェットプリンタにおいては、銀塩写真と同等な出力結果を得る為に印刷用紙の四辺に余白無しで印刷する所謂縁無し印刷を実行可能に構成されたものが主流となっている。
【０００４】
この様なインクジェットプリンタの構成としては、インクジェット記録ヘッドと対向して設けられ、印刷用紙とインクジェット記録ヘッドとの距離を規定するプラテンに凹部を形成し、用紙端部から外れた領域にインクを吐出するとともに当該外れた領域に吐出するインクを前記凹部に打ち捨てる構成が一般的である。
【０００５】
また、前記凹部には、打ち捨てられるインクのミスト化による浮遊を極力防止する為に、特許文献１に示すようにインク吸収するインク吸収材が設けられるとともに、その底部には吸収したインクを下方に排出する排出穴が形成されている。そして、インク吸収材に吸収されたインクは、前記排出穴からプラテンの下方に設けられた廃液トレイ等に導かれる様に構成されている。
【０００６】
【特許文献１】特開２００２−８６７５７号公報
【発明の開示】
【発明が解決しようとする課題】
【０００７】
しかし、前記凹部にインク吸収材が配設された状態において、前記インク吸収材が、前記凹部から浮き上がることがある。特に、プラテンの下部に設けられた廃液トレイに廃液吸収材を配設するとともに、プラテンに配設されたインク吸収材から廃液吸収材へインクを速やかに導くために、インク吸収材と廃液吸収材とをインクガイドによって接続する場合には、インク吸収材がインクガイドを介して廃液吸収材から反力を受けることとなり、浮き上がり易い。
【０００８】
そしてこの様にインク吸収材が浮き上がると、インク吸収材が印刷用紙の裏面と接触し、これによって印刷用紙の裏面がインクで汚損される虞がある。また、印刷用紙がインク吸収材によって持ち上げられて、インクジェット記録ヘッドと印刷用紙とのギャップが不適切となり、場合によっては印刷用紙がインクジェット記録ヘッドに擦れて、印刷品質を著しく低下させる虞もある。  
一方で、この様な問題を解消するためにインク吸収材の保持手段を別途採用する場合には、装置の組立作業が繁雑となり易い。
【０００９】
そこで本発明はこの様な問題に鑑みなされたものであり、その目的は、プラテンに配設されるインク吸収材を、作業性容易に、且つ確実に保持することができるインク吸収材の保持方法および、そのようなインク吸収材の保持方法を実現可能な装置を提供することにある。
【課題を解決するための手段】
【００１０】
上記課題を解決するために、本発明の第１の態様は、被記録媒体に向けてインクを吐出するインクジェット記録ヘッドと、前記インクジェット記録ヘッドと対向して設けられ、前記インクジェット記録ヘッドと対向する面に前記インクジェット記録ヘッドの主走査方向に延びる凹部が形成されたプラテンと、前記凹部に配設され、被記録媒体の端部から外れて打ち捨てられるインクを吸収するインク吸収材と、を備えたインクジェット式記録装置において、前記インク吸収材を前記凹部に保持するインク吸収材の保持方法であって、前記プラテンには、前記凹部が形成された第１面の側から、その反対側の第２面の側へと貫通する孔が、対を成すように前記凹部の副走査方向上流側と下流側とにそれぞれ形成されていて、前記インク吸収材を前記凹部に配設し、前記凹部の長手方向と交差する方向に前記凹部を跨ぐとともに前記一対の孔を挿通可能なように略コの字形の形状を成し、更にその両端部に前記第２面に掛止可能な掛止部が形成されたワイヤを前記第１面の側から前記一対の孔に挿通させ、前記掛止部を前記第２面に掛止させることで、前記インク吸収材を前記ワイヤによって前記凹部に保持することを特徴とする。
【００１１】
上記態様によれば、プラテンには略コの字形の形状を成すワイヤが挿通可能な一対の孔が形成されており、ワイヤの両端部にはプラテンの第２面に掛止可能な掛止部が形成されていて、前記ワイヤを第１面の側から前記一対の孔に挿通させ、前記掛止部を前記第２面に掛止させることで前記インク吸収材を前記凹部に保持することができるので、単純な作業によって極めて容易にインク吸収材を凹部に保持することができる。また、ワイヤを挿通させる孔はプラテンの第１面側から第２面側へ貫通しており、第２面にワイヤ端部の掛止部が掛止することでワイヤがプラテンに取り付けられた状態となるので、取付状態の視認性が極めて良好となり、前記ワイヤを確実にプラテンに取り付けることができ、その結果インク吸収材の凹部からの浮き上がりを確実に防止することができる。
【００１２】
本発明の第２の態様は、被記録媒体に向けてインクを吐出するインクジェット記録ヘッドと対向して設けられ、前記インクジェット記録ヘッドと対向する面に前記インクジェット記録ヘッドの主走査方向に延びる凹部が形成されたプラテンと、前記凹部に配設され、被記録媒体の端部から外れて打ち捨てられるインクを吸収するインク吸収材と、を備えて構成されたプラテンユニットであって、前記プラテンには、前記凹部が形成された第１面の側から、その反対側の第２面の側へと貫通する孔が、対を成すように前記凹部の副走査方向上流側と下流側とにそれぞれ形成され、前記凹部の長手方向と交差する方向に前記凹部を跨ぐとともに前記一対の孔を挿通可能なように略コの字形の形状を成し、更にその両端部に前記第２面に掛止可能な掛止部が形成されたワイヤが、前記第１面の側から前記一対の孔に挿通するとともに前記掛止部が前記第２面に掛止したことで前記インク吸収材が前記ワイヤによって前記凹部に保持されていることを特徴とする。
【００１３】
上記態様によれば、プラテンには略コの字形の形状を成すワイヤを挿通可能な一対の孔が形成されており、ワイヤの両端部にはプラテンの第２面に掛止可能な掛止部が形成されていて、前記ワイヤが、前記第１面の側から前記一対の孔に挿通され、前記掛止部が前記第２面に掛止したことで前記インク吸収材が前記凹部に保持されているので、上述した第１の態様と同様な作用効果を得ることができる。
【００１４】
本発明の第３の態様は、上記第２の態様において、前記一対の孔が、主走査方向に局在するように複数組形成されていることを特徴とする。  
上記態様によれば、前記一対の孔が、主走査方向に局在するように複数組形成されていることから、前記インク吸収材をより確実に前記凹部に保持することができる。
【００１５】
本発明の第４の態様は、被記録媒体に向けてインクを吐出するインクジェット記録ヘッドを備えたインクジェット式記録装置であって、上記第２のまたは第３の態様に記載の前記プラテンユニットを備えていることを特徴とする。  
上記態様によれば、インクジェット式記録装置において、上述した第２のまたは第３の態様に記載の作用効果と同様な作用効果を得ることができる。
【００１６】
本発明の第５の態様は、噴射媒体に向けて液体を吐出する液体噴射ヘッドと対向して設けられ、前記液体噴射ヘッドと対向する面に前記液体噴射ヘッドの主走査方向に延びる凹部が形成されたプラテンと、前記凹部に配設され、被噴射媒体の端部から外れて打ち捨てられる液体を吸収する液体吸収材と、を備えて構成された液体噴射装置であって、前記プラテンには、前記凹部が形成された第１面の側から、その反対側の第２面の側へと貫通する孔が、対を成すように前記凹部の副走査方向上流側と下流側とにそれぞれ形成され、前記凹部の長手方向と交差する方向に前記凹部を跨ぐとともに前記一対の孔を挿通可能なように略コの字形の形状を成し、更にその両端部に前記第２面に掛止可能な掛止部が形成されたワイヤが、前記第１面の側から前記一対の孔に挿通するとともに前記掛止部が前記第２面に掛止したことで前記液体吸収材が前記ワイヤによって前記凹部に保持されていることを特徴とする。
【発明を実施するための最良の形態】
【００１７】
以下、図１乃至図７を参照しながら本発明の一実施形態について説明する。ここで、図１は本発明に係る「記録装置」、「液体噴射装置」の一例としてのインクジェットプリンタ（以下「プリンタ」と言う）１の側断面概略図、図２はプラテンユニット３９の斜視図、図３はプラテンユニット３９の第１面の側の部分拡大斜視図、図４はプラテンユニット３９の第２面の側の部分拡大斜視図、図５はプラテンユニット３９の側断面図、図６はプラテンユニット３９の第１面の側の部分拡大斜視図、図７はプラテンユニット３９の第２面の側の部分拡大斜視図である。尚、以下では、用紙搬送経路（副走査方向）の上流側（図１の右側）を単に「上流側」と言い、用紙搬送経路の下流側（図１の左側）を単に「下流側」と言うこととする。
【００１８】
先ず、図１を参照しながらプリンタ１の全体構成について概説する。プリンタ１は、「被記録媒体」、「被噴射媒体」の一例としての、比較的サイズの小さいハガキ、Ｌ判サイズ等の記録用紙Ｐへの記録に適した小型サイズに構成されたものである。  
プリンタ１後部には、給送装置２が設けられている。給送装置２は、ホッパ１０と、可動ガイド９と、給送ローラ１１と、摩擦分離材１３と、紙戻しレバー１２と、を備えている。ホッパ１０は揺動支点１０ａを中心に図示しない駆動手段によって揺動駆動され、記録用紙Ｐを傾斜姿勢に支持するとともに、記録用紙Ｐの給送時には、給送ローラ１１に記録用紙Ｐを圧接させる。ホッパ１０に設けられた可動ガイド９は、記録用紙Ｐの各サイズに対応する様に、記録用紙Ｐの幅方向にスライド可能に設けられ、記録用紙Ｐの側端位置を規制する。
【００１９】
給送ローラ１１は側面視略Ｄ形の形状をなし、外周にはゴム材が巻回され、図示しない駆動モータによって用紙給送時に選択的に回転駆動される。用紙給送時には、その円弧部分によって給送ローラ１１に圧接した記録用紙Ｐの最上位のものを下流側へ給送し、用紙給送が終了すると、下流側の搬送駆動ローラ２１による搬送動作の際に搬送負荷を生じさせない様、図示する様に側面視略Ｄ形の形状における平坦部が摩擦分離材１３と対向する様に制御される。尚、符号１４で示すローラは自由回転可能なアイドルローラであり、搬送中の記録用紙Ｐが給送ローラ１１に接して搬送負荷を生じさせない様、搬送中の記録用紙Ｐと接して従動回転する。
【００２０】
給送ローラ１１と対向する位置には摩擦分離材１３が設けられている。摩擦分離材１３は用紙給送時に給送ローラ１１の円弧部分と圧接して圧接点を形成し、これにより、給送されるべき最上位の記録用紙Ｐと、重送されようとする次位以降の記録用紙Ｐとを分離する。また、給送ローラ１１と対向する位置には紙戻しレバー１２が設けられている。紙戻しレバー１２は揺動支点１２ａを中心に揺動可能に設けられ、給送ローラ１１の１回転動作中に、図１に示す待機状態から記録用紙Ｐの給送経路を開放する様に一旦倒れ、そして再び図１に示す様に起き上がることにより、重送されようとした次位以降の記録用紙Ｐをホッパ１０上に戻す。
【００２１】
以上が給送装置２であり、給送装置２の下流側には、給送ローラ１１と搬送駆動ローラ２１との間に、レバー１５と検出部１６とを備えて成る紙検出器１７が設けられている。レバー１５は揺動軸１５ａを中心に揺動可能に設けられ、且つ、揺動軸１５ａから上側部分が、給送される記録用紙Ｐと接触可能に構成されている。検出部１６は光学センサであり、レバー１５の揺動軸１５ａから下側部分が図示する様に検出部１６に入り込むことにより、発光部から受光部へ向かう光が遮断され、記録用紙Ｐの未通過状態が検出される。そして、レバー１５が、記録用紙Ｐの通過に伴って揺動すると、レバー１５の揺動軸１５ａから下側部分が検出部１６から外れ、これにより、記録用紙Ｐ先端の通過を検出することができる様になっている。また、記録用紙Ｐ後端が通過すると、再びレバー１５の下端部が検出部１６に入り込み、これにより、記録用紙Ｐ後端の通過を検出可能となる。
【００２２】
次に、紙検出器１７の下流側には、搬送駆動ローラ２１と搬送従動ローラ２２とが設けられている（以下当該ローラ対を適宜「搬送ローラ」と言う）。搬送駆動ローラ２１は図示しない駆動モータによって回転駆動され、搬送従動ローラ２２は、搬送駆動ローラ２１に圧接して従動回転する。搬送駆動ローラ２１は回転軸芯線方向に長い金属棒体の外周に塗装膜が付着されることによって成され、搬送従動ローラ２２は、搬送駆動ローラ２１の軸方向に、所定の間隔で複数個設けられる。そして、給送ローラ１１によって給送された記録用紙Ｐは搬送ローラにニップされ、記録ヘッド２６と対向した記録部（記録ヘッド２６とプラテン２８との間の領域）へと搬送される。  
また、搬送従動ローラ２２を軸支する搬送従動ローラホルダ２０の下流側端部には、自由回転可能なガイドローラ２３が設けられている。ガイドローラ２３は、記録用紙Ｐのプラテン２８からの浮き上がりを防止する為のローラであり、これにより、記録用紙Ｐと記録ヘッド１４との距離が一定に保たれる。
【００２３】
次に、搬送ローラの下流側には、インクジェット記録ヘッド（以下「記録ヘッド」と言う）２６とプラテン２８とが対向する様に設けられている。記録ヘッド２６はキャリッジ２５の底部に設けられ、液体の一例としてのインク滴を記録用紙Ｐに向けて吐出（噴射）することにより、記録を実行する。キャリッジ２５は主走査方向に延びるキャリッジガイド軸２７にガイドされながら、主走査方向に往復駆動される。
【００２４】
プラテン２８は、記録用紙Ｐを下から支持することにより、記録用紙Ｐと記録ヘッド２５との間のギャップを規定する。このプラテン２８において記録ヘッド２５と対向する面には、凹部２８ａが形成されていて、記録用紙Ｐの端部から外れた部分にもインク滴を吐出するとともに凹部２８ａへとインク滴を打ち捨てることにより、所謂縁無し印刷が実行される。
【００２５】
凹部２８ａには打ち捨てられたインク滴を吸収する「液体吸収材」としてのインク吸収材３６が設けられ（図５参照）、更にインク吸収材３６の下部にはインクガイド４２（図５参照）が配設されている。そして、凹部２８ａに打ち捨てられたインク滴は、プラテン２８に形成された窓穴２８ｅ（図３参照）から下部へ排出され、そしてプラテン２８の下部に設けられた、この排出されたインク滴を受ける廃液トレイ３１へと導かれる。廃液トレイ３１の内部には廃液吸収材３４が設けられ、廃液トレイ３１内のインク廃液を確実に保持する。尚、プラテン２８、インク吸収材３６はプラテンユニット３９を構成し、このプラテンユニット３９については後に詳述する。
【００２６】
続いて、記録ヘッド２６の下流側には、排出駆動ローラ２９と、排出従動ローラ３０とが設けられている（以下当該ローラ対を適宜「排出ローラ」と言う）。排出駆動ローラ２９は図示しない駆動モータによって回転駆動され、排出従動ローラ３０は、排出駆動ローラ２９に接して従動回転する。そして、記録が行われた記録用紙Ｐは、これらローラにニップされることにより、図示しないスタッカへ向けて排出される。
【００２７】
排出駆動ローラ２９の下流側には、排出補助ローラ３７が設けられている。排出補助ローラ３７は、その回転軸３７ａと、排出駆動ローラ２９の回転軸２９ａとに係回されたベルト３８によって、排出駆動ローラ２９の回転に従って回転する。この排出補助ローラ３７は、排出駆動ローラ２９及び排出従動ローラ３０にニップされて排出される記録用紙Ｐの後端を、スタッカに向けて確実に落とす機能を果たすものである。
【００２８】
以上がプリンタ１の大略構成であり、続いて図２乃至図７を参照しながらプラテンユニット３９について詳説する。  
プラテンユニット３９は、図５に示すようにプラテン２８と、インク吸収材３６及びインクガイド４２と、ワイヤ４１と、を備えて構成されている。尚、図２乃至図４では、凹部２８ａの底部を示すためにインク吸収材３６及びインクガイド４２は図示を省略している。
【００２９】
プラテン２８は樹脂材料によって形成され、記録ヘッド２６と対向する面（第１面：符号２８Ａで示す）に主走査方向に延びる凹部２８ａを有している。第１面２８Ａには、副走査方向に延びる第１リブ２８ｂ、第２リブ２８ｃ、第３リブ２８ｄが、図２に示すように主走査方向に局在するように形成されていて、これらリブによって記録用紙Ｐが下から支持され、記録用紙Ｐと記録ヘッド２６との距離が規定される。
【００３０】
図２において、第３リブ２８ｄの下流側には、排出駆動ローラ２９の回転軸２９ａ（図１）を軸支する軸受部２８ｍ、２８ｍが形成され、更にその下流側には、排出補助ローラ３７の回転軸３７ａ（図１）を軸支する軸受部２８ｈが、回転軸３７ａの軸線方向に複数形成されている。軸受部２８ｈは、図６に示すように回転軸３７ａを下から支持するようにＵ字形の形状を成しており、そして回転軸３７ａは、軸受部２８ｈに隣接して設けられた保持部２８ｊ、２８ｊによって、軸受部２８ｈから脱落しないように保持される。保持部２８ｊは、上方の開口幅が回転軸３７ａの直径よりも小さく形成されており、従って保持部２８ｊが弾性変形することによって回転軸３７ａが保持部２８ｊに入り込み、そして保持部２８ｊの弾性によって回転軸３７ａが脱落しないように保持される。従って保持部２８ｊの弾性は、回転軸３７ａが脱落しないように確実に保持可能な強さに設定されている。
【００３１】
次に、凹部２８ａの底部には、図３に示すように複数の窓穴２８ｅが形成されていて、図７に示すようにインクガイド４２に形成された舌片状のガイド部４２ａが、窓穴２８ｅから下方（図７では上方）の廃液トレイ３１に向かって突出するように、インクガイド４２が凹部２８ａに設けられる。ここで、ガイド部４２ａは、廃液トレイ３１に配設された廃液吸収材３４（図１）の上面に接触することで、凹部２８ａに打ち捨てられたインク滴を速やかに廃液トレイ３１に案内する機能を果たすものである。即ち、図５に示すようにインクガイド４２は、インク吸収材３６よりもインク吸収性の高い材料（例えばＰＶＡスポンジ等）によって形成されていて、インク吸収材３６の下部に敷設されることで、インク吸収材３６が吸収したインク滴を速やかに吸収して、廃液トレイ３１へ速やかに導く機能を果たす。
【００３２】
次に、凹部２８ａに配設されたインク吸収材３６（及びインクガイド４２）は、ワイヤ４１によって凹部２８ａに保持されるよう構成されている。  
即ち、図３乃至図５に示すようにプラテン２８において凹部２８ａが形成された第１面２８Ａの側から、その反対側の第２面２８Ｂの側へと貫通する孔２８ｆ、２８ｇが、それぞれ凹部２８ａの上流側と下流側とに形成されて、一対の孔を構成している。
【００３３】
一方、ワイヤ４１は、凹部２８ａの長手方向と公差する方向（本実施形態では副走査方向：図５の左右方向）に凹部２８ａを跨ぐ架橋部４１ａと、孔２８ｆ及び２８ｇを挿通してその先端が第２面２８Ｂに到達可能な腕部４１ｂ、４１ｂとを有しており、即ち凹部２８ａの長手方向と直交する方向に凹部２８ａを跨ぐとともに孔２８ｆ、２８ｇを挿通可能なように略コの字形の形状を成している。
【００３４】
そして、その両端部には、第２面２８Ｂに掛止可能なようにＬ字形の形状を成す掛止部４１ｃ、４１ｃが形成されており、掛止部４１ｃ、４１ｃが第２面２８Ｂに掛止することで、ワイヤ４１がプラテン２８に確実に取り付けられるとともに、凹部２８ａに配設されたインク吸収材３６（及びインクガイド４２）が、ワイヤ４１によって凹部２８ａに保持された状態となる。尚、一対の孔２８ｆ、２８ｇは、図２に示すように凹部２８ａの長手方向に局在するように複数組形成されていて、従って複数本のワイヤ４１によってインク吸収材３６が確実に凹部２８ａに保持される。
【００３５】
上記のような構成において、インク吸収材３６をプラテン２８に保持する際には、先ずインクガイド４２及びインク吸収材３６を凹部２８ａに配設した後、ワイヤ４１を、その腕部４１ｂ、４１ｂを第１面２８Ａの側から孔２８ｇ、２８ｆに挿通させる。すると、掛止部４１ｃ、４１ｃが第２面２８Ｂに掛止した状態となるので、従ってこの様に単純な作業によって極めて容易にインク吸収材３６（及びインクガイド４２）を凹部２８ａに保持することができる。
【００３６】
また、ワイヤ４１を挿通させる孔２８ｆ、２８ｇはプラテン２８の第１面２８Ａの側から第２面２８Ｂの側へ貫通しており、第２面２８Ｂに掛止部４１ｃ、４１ｃが掛止することでワイヤ４１がプラテン２８に取り付けられた状態となるので、取付状態の視認性が極めて良好となり、従ってワイヤ４１を確実にプラテンに取り付けることができ、インク吸収材３６の凹部２８ａからの浮き上がりを確実に防止することができる。
【００３７】
特に、インク吸収材３６は、インクガイド４２を介して廃液吸収材３４（図１）から反力を受け、浮き上がり易くなっているが、そのような浮き上がりがワイヤ４１によって確実に防止される。その結果、インク吸収材３６が凹部２８ａから浮き上がることによって、記録用紙Ｐの裏面がインク滴で汚損されたり、或いは記録用紙Ｐがインク吸収材３６によって持ち上げられて、記録ヘッド２６と記録用紙Ｐとのギャップが不適切となり、記録品質が低下するといった不具合を確実に防止することができる。
【図面の簡単な説明】
【００３８】
【図１】本発明に係るプリンタの側断面概略図。
【図２】プラテンユニットの斜視図。
【図３】プラテンユニットの第１面の側の部分拡大斜視図。
【図４】プラテンユニットの第２面の側の部分拡大斜視図。
【図５】プラテンユニットの側断面図。
【図６】プラテンユニットの第１面の側の部分拡大斜視図。
【図７】プラテンユニットの第２面の側の部分拡大斜視図。
【符号の説明】
【００３９】
１  インクジェットプリンタ、２  給送装置、９  可動ガイド、１０  ホッパ、１１  給送ローラ、１２  紙戻しレバー、１３  摩擦分離材、１４  アイドルローラ、１５  レバー、１６  検出部、１７  紙検出器、２０  搬送従動ローラホルダ、２１  搬送駆動ローラ、２２  搬送従動ローラ、２３  ガイドローラ、２５  キャリッジ、２６  記録ヘッド、２７  キャリッジガイド軸、２８  プラテン、２８Ａ  第１面、２８Ｂ  第２面、２８ａ  凹部、２８ｂ  第１リブ、２８ｃ  第２リブ、２８ｄ  第３リブ、２８ｅ  窓穴、２８ｆ、２８ｇ  孔、２８ｈ  軸受部、２８ｊ  保持部、２８ｍ  軸受部、２９  排出駆動ローラ、３０  排出従動ローラ、３１  廃液トレイ、３４  廃液吸収材、３６  インク吸収材、３７  排出補助ローラ、３９  プラテンユニット、４１  ワイヤ、４１ａ  架橋部、４１ｂ  腕部、４１ｃ  掛止部、４２  インクガイド、４２ａ  ガイド部、Ｐ  記録用紙
【図１】
2006247930.tif 000003
【図２】
2006247930.tif 000004
【図３】
2006247930.tif 000005
【図４】
2006247930.tif 000006
【図５】
2006247930.tif 000007
【図６】
2006247930.tif 000008
【図７】
2006247930.tif 000009